(57)【特許請求の範囲】
【請求項１】
電源と前記電源から電力の供給を受ける電子機器とを電気的に接続するための雌コネクタと雄コネクタからなるコネクタ装置であって、
前記雌コネクタは、前記電子機器に接続されており、前記電力供給を受けるための導体からなる２つの電力用ジャック端子と、１本の制御用プラグ端子を有し、前記制御用プラグ端子は、差込方向に伸縮可能であり、
前記雄コネクタは、前記電源に接続されており、前記２つの電力用ジャック端子の各々に対応する２本の電力用プラグ端子と、前記制御用プラグ端子に対応する制御用ジャック端子を有しており、
前記制御用ジャック端子には２つの制御スイッチが設けられており、各制御スイッチは板バネ部および接点により構成され、前記板バネ部を押すことにより接点が接触し電流が流れる構成のスイッチであり、
前記２つの制御スイッチは、前記２本の電力用プラグ端子の各々に接続されており、前記電源は前記２つの制御スイッチを介し前記電力用プラグ端子より電力を供給するものであり、
前記２本の電力用プラグ端子と前記２つの電力用ジャック端子を嵌合した状態において、前記制御用ジャック端子に前記制御用プラグ端子を差込方向に伸すことにより、絶縁体の板バネが撓み前記板バネ部を押し、接点が接続され、前記電子機器に電力が供給され、
前記板バネの前記各制御スイッチとの接触部が接点間に発生するアークの熱で溶解すると、接点が接触しなくなることを特徴とするコネクタ装置。
【請求項２】
前記制御用プラグ端子の差込方向の伸縮は、スライドスイッチ、または、押ボタンスイッチにより行われるものであることを特徴とする請求項１に記載のコネクタ装置。
【請求項３】
制御用プラグ端子リンクを介し前記制御用プラグ端子の差込方向の伸縮を行うためのスライドスイッチと、ねじりコイルバネと、を有し、
前記スライドスイッチの移動方向と前記ねじりコイルバネの両端を結ぶ方向とが垂直となる中立状態となるものであって、
前記スライドスイッチを移動させることにより、前記ねじりコイルバネを撓ませるものであることを特徴とする請求項１または２に記載のコネクタ装置。
【請求項４】
前記中立状態において、前記ねじりコイルバネは撓んだ状態にあり、
前記中立状態より、前記ねじりコイルバネの復元力により、前記制御用プラグ端子は前記制御用プラグ端子リンクを介し、前記差込方向に対し伸びるものであることを特徴とする請求項３に記載のコネクタ装置。
【請求項５】
前記中立状態において、前記ねじりコイルバネは撓んだ状態にあり、
前記中立状態より、前記ねじりコイルバネの復元力により、前記制御用プラグ端子は前記制御用プラグ端子リンクを介し、前記差込方向に対し縮むものであることを特徴とする請求項３に記載のコネクタ装置。
【請求項６】
前記雌コネクタには、前記制御用プラグ端子の差込方向の伸縮に対応して、前記差込方向に垂直に突出するロック端子が設けられており、
前記ロック端子は、前記制御用プラグ端子を前記差込方向に伸すことにより、前記差込方向に垂直に突出し、
前記雄コネクタには、前記突出したロック端子に対応した形状の凹状部が設けられており、
前記雌コネクタと前記雄コネクタとを嵌合した状態で、前記制御用プラグ端子を伸すことにより、前記雄コネクタの凹状部に前記ロック端子が前記差込方向に垂直に嵌入し、前記雌コネクタと前記雄コネクタとの嵌合状態が維持されるものであることを特徴とする請求項１から５のいずれかに記載のコネクタ装置。
【請求項７】
前記雌コネクタには接地用ジャック端子が設けられており、
前記雄コネクタには、前記接地用ジャック端子に対応した接地用プラグ端子が設けられおり、
前記雌コネクタと前記雄コネクタとが嵌合した状態においては、前記接地用プラグ端子と前記接地用ジャック端子とが嵌合した状態であることを特徴とする請求項１から６のいずれかに記載のコネクタ装置。
【請求項８】
前記電源より供給される電力は、直流であることを特徴とする請求項１から７のいずれかに記載のコネクタ装置。
【請求項９】
前記電源より供給される電力の電圧は、４８Ｖを超える電圧であることを特徴とする請求項１から８のいずれかに記載のコネクタ装置。
【請求項１０】
電源と、前記電源から電力の供給を受ける電子機器とを電気的に接続するための雄コネクタと接続する雌コネクタであって、
前記雌コネクタは、前記電子機器に接続されており、前記電力供給を受けるための導体からなる２つの電力用ジャック端子と、１本の制御用プラグ端子を有し、前記制御用プラグ端子は、差込方向に伸縮可能であり、
前記雄コネクタは、前記電源に接続されており、前記２つの電力用ジャック端子の各々に対応する２本の電力用プラグ端子と、前記制御用プラグ端子に対応する制御用ジャック端子を有しており、
前記制御用ジャック端子には２つの制御スイッチが設けられており、各制御スイッチは板バネ部および接点により構成され、前記板バネ部を押すことにより接点が接触し電流が流れる構成のスイッチであり、
前記２つの制御スイッチは、前記２本の電力用プラグ端子の各々に接続されており、前記電源は前記２つの制御スイッチを介し前記電力用プラグ端子より電力を供給するものであり、
前記２本の電力用プラグ端子と前記２つの電力用ジャック端子を嵌合した状態において、前記制御用ジャック端子に前記制御用プラグ端子を差込方向に伸すことにより、絶縁体の板バネが撓み前記板バネ部を押し、接点が接続され、前記電子機器に電力が供給され、
前記板バネの前記各制御スイッチとの接触部が接点間に発生するアークの熱で溶解すると、接点が接触しなくなることを特徴とする雌コネクタ。
【請求項１１】
前記制御用プラグ端子の差込方向の伸縮は、スライドスイッチ、または、押ボタンスイッチにより行われるものであることを特徴とする請求項１０に記載の雌コネクタ。
【請求項１２】
制御用プラグ端子リンクを介し前記制御用プラグ端子の差込方向の伸縮を行うためのスライドスイッチと、ねじりコイルバネと、を有し、
前記スライドスイッチの移動方向と前記ねじりコイルバネの両端を結ぶ方向とが垂直となる中立状態となるものであって、
前記スライドスイッチを移動させることにより、前記ねじりコイルバネを撓ませるものであることを特徴とする請求項１０または１１に記載の雌コネクタ。
【請求項１３】
前記中立状態において、前記ねじりコイルバネは撓んだ状態にあり、
前記中立状態より、前記ねじりコイルバネの復元力により、前記制御用プラグ端子は前記制御用プラグ端子リンクを介し、前記差込方向に対し伸びるものであることを特徴とする請求項１２に記載の雌コネクタ。
【請求項１４】
前記中立状態において、前記ねじりコイルバネは撓んだ状態にあり、
前記中立状態より、前記ねじりコイルバネの復元力により、前記制御用プラグ端子は前記制御用プラグ端子リンクを介し、前記差込方向に対し縮むものであることを特徴とする請求項１２に記載の雌コネクタ。
【請求項１５】
前記雌コネクタには、前記制御用プラグ端子の差込方向の伸縮に対応して、前記差込方向に垂直に突出するロック端子が設けられており、
前記ロック端子は、前記制御用プラグ端子を前記差込方向に伸すことにより、前記差込方向に垂直に突出し、
前記雄コネクタには、前記突出したロック端子に対応した形状の凹状部が設けられており、
前記雌コネクタと前記雄コネクタとを嵌合した状態で、前記制御用プラグ端子を伸すことにより、前記雄コネクタの凹状部に前記ロック端子が前記差込方向に垂直に嵌入し、前記雌コネクタと前記雄コネクタとの嵌合状態が維持されるものであることを特徴とする請求項１０から１４のいずれかに記載の雌コネクタ。
【請求項１６】
前記雌コネクタには接地用ジャック端子が設けられており、
前記雄コネクタには、前記接地用ジャック端子に対応した接地用プラグ端子が設けられおり、
前記雌コネクタと前記雄コネクタとが嵌合した状態においては、前記接地用プラグ端子と前記接地用ジャック端子とが嵌合した状態であることを特徴とする請求項１０から１５のいずれかに記載の雌コネクタ。
【請求項１７】
前記電源より供給される電力は、直流であることを特徴とする請求項１０から１６のいずれかに記載の雌コネクタ。
【請求項１８】
前記電源より供給される電力の電圧は、４８Ｖを超える電圧であることを特徴とする請求項１０から１７のいずれかに記載の雌コネクタ。
【請求項１９】
電源と、前記電源から電力の供給を受ける電子機器とを電気的に接続するための雌コネクタと接続する雄コネクタであって、
前記雌コネクタは、前記電子機器に接続されており、前記電力供給を受けるための導体からなる２つの電力用ジャック端子と、１本の制御用プラグ端子を有し、前記制御用プラグ端子は、差込方向に伸縮可能であり、
前記雄コネクタは、前記電源に接続されており、前記２つの電力用ジャック端子の各々に対応する２本の電力用プラグ端子と、前記制御用プラグ端子に対応する制御用ジャック端子を有しており、
前記制御用ジャック端子には２つの制御スイッチが設けられており、各制御スイッチは板バネ部および接点により構成され、前記板バネ部を押すことにより接点が接触し電流が流れる構成のスイッチであり、
前記２つの制御スイッチは、前記２本の電力用プラグ端子の各々に接続されており、前記電源は前記２つの制御スイッチを介し前記電力用プラグ端子より電力を供給するものであり、
前記２本の電力用プラグ端子と前記２つの電力用ジャック端子を嵌合した状態において、前記制御用ジャック端子に前記制御用プラグ端子を差込方向に伸すことにより、絶縁体の板バネが撓み前記板バネ部を押し、接点が接続され、前記電子機器に電力が供給され、
前記板バネの前記各制御スイッチとの接触部が接点間に発生するアークの熱で溶解すると、接点が接触しなくなることを特徴とする雄コネクタ。
【請求項２０】
前記雌コネクタには、前記制御用プラグ端子の差込方向の伸縮に対応して、前記差込方向に垂直に突出するロック端子が設けられており、
前記ロック端子は、前記制御用プラグ端子を前記差込方向に伸すことにより、前記差込方向に垂直に突出し、
前記雄コネクタには、前記突出したロック端子に対応した形状の凹状部が設けられており、
前記雌コネクタと前記雄コネクタとを嵌合した状態で、前記制御用プラグ端子を伸すことにより、前記雄コネクタの凹状部に前記ロック端子が前記差込方向に垂直に嵌入し、前記雌コネクタと前記雄コネクタとの嵌合状態が維持されるものであることを特徴とする請求項１９に記載の雄コネクタ。
【請求項２１】
前記雌コネクタには接地用ジャック端子が設けられており、
前記雄コネクタには、前記接地用ジャック端子に対応した接地用プラグ端子が設けられおり、
前記雌コネクタと前記雄コネクタとが嵌合した状態においては、前記接地用プラグ端子と前記接地用ジャック端子とが嵌合した状態であることを特徴とする請求項１９または２０に記載の雄コネクタ。
【請求項２２】
前記電源より供給される電力は、直流であることを特徴とする請求項１９から２１のいずれかに記載の雄コネクタ。
【請求項２３】
前記電源より供給される電力の電圧は、４８Ｖを超える電圧であることを特徴とする請求項１９から２２のいずれかに記載の雄コネクタ。
【発明の詳細な説明】
【技術分野】
【０００１】
本発明は、電力を供給するために用いられるコネクタ装置、雌コネクタ、及び雄コネクタに関する。
【背景技術】
【０００２】
一般的に電気機器は、電源より電力の供給を受け動作する。このように、電源より電力の供給を受ける際には、通常コネクタ装置を介し電源より電気機器へ電力が供給される。この際用いられるコネクタ装置は、特許文献１、２に開示されているように、凸状の雄型タイプのコネクタと、凹状の雌型タイプのコネクタを嵌合することにより、電気的に接続を行うものである。
【０００３】
一方近年では、地球温暖化等に対する対策の一つとして、ローカルエリアにおける送電においても、電圧変換や送電等における電力損失が少なく、ケーブルの太さも太くする必要のない、直流で高電圧の電力の供給が検討されている。特に、サーバ等の情報機器においては、大量に電力を消費するためこのような電力供給が望ましいものとされている。
【０００４】
このように電気機器に供給される電力に関しては、電圧が高いと人体に影響を及ぼす場合や、電子部品の動作に影響を与える場合がある。
【０００５】
このような高電圧の電力をサーバ等の情報機器に用いる場合においては、装置の設置やメンテナンスの際においては、人により作業が行われるため、電気的接続がされている部分であるコネクタ装置は通常の交流の商用電源に用いられるものとは異なるものとする必要がある。
【先行技術文献】
【特許文献】
【０００６】
【特許文献１】特開平５−８２２０８号公報
【特許文献２】特開２００３−３１３０１号公報
【発明の概要】
【発明が解決しようとする課題】
【０００７】
本発明は、上記点に鑑みてなされたものであり、特に、高電圧の電力を安全に供給することが可能なコネクタ装置、雌コネクタ、及び雄コネクタを提供することを目的とするものである。
【課題を解決するための手段】
【０００８】
本発明の一態様によれば、
電源と前記電源から電力の供給を受ける電子機器とを電気的に接続するための雌コネクタと雄コネクタからなるコネクタ装置であって、
前記雌コネクタは、前記電子機器に接続されており、前記電力供給を受けるための導体からなる２つの電力用ジャック端子と、１本の制御用プラグ端子を有し、前記制御用プラグ端子は、差込方向に伸縮可能であり、
前記雄コネクタは、前記電源に接続されており、前記２つの電力用ジャック端子の各々に対応する２本の電力用プラグ端子と、前記制御用プラグ端子に対応する制御用ジャック端子を有しており、
前記制御用ジャック端子には２つの制御スイッチが設けられており、各制御スイッチは板バネ部および接点により構成され、前記板バネ部を押すことにより接点が接触し電流が流れる構成のスイッチであり、
前記２つの制御スイッチは、前記２本の電力用プラグ端子の各々に接続されており、前記電源は前記２つの制御スイッチを介し前記電力用プラグ端子より電力を供給するものであり、
前記２本の電力用プラグ端子と前記２つの電力用ジャック端子を嵌合した状態において、前記制御用ジャック端子に前記制御用プラグ端子を差込方向に伸すことにより、絶縁体の板バネが撓み前記板バネ部を押し、接点が接続され、前記電子機器に電力が供給され、
前記板バネの前記各制御スイッチとの接触部が接点間に発生するアークの熱で溶解すると、接点が接触しなくなることを特徴とするコネクタ装置が提供される。
【０００９】
本発明の別の一態様によれば、
電源と、前記電源から電力の供給を受ける電子機器とを電気的に接続するための雄コネクタと接続する雌コネクタであって、
前記雌コネクタは、前記電子機器に接続されており、前記電力供給を受けるための導体からなる２つの電力用ジャック端子と、１本の制御用プラグ端子を有し、前記制御用プラグ端子は、差込方向に伸縮可能であり、
前記雄コネクタは、前記電源に接続されており、前記２つの電力用ジャック端子の各々に対応する２本の電力用プラグ端子と、前記制御用プラグ端子に対応する制御用ジャック端子を有しており、
前記制御用ジャック端子には２つの制御スイッチが設けられており、各制御スイッチは板バネ部および接点により構成され、前記板バネ部を押すことにより接点が接触し電流が流れる構成のスイッチであり、
前記２つの制御スイッチは、前記２本の電力用プラグ端子の各々に接続されており、前記電源は前記２つの制御スイッチを介し前記電力用プラグ端子より電力を供給するものであり、
前記２本の電力用プラグ端子と前記２つの電力用ジャック端子を嵌合した状態において、前記制御用ジャック端子に前記制御用プラグ端子を差込方向に伸すことにより、絶縁体の板バネが撓み前記板バネ部を押し、接点が接続され、前記電子機器に電力が供給され、
前記板バネの前記各制御スイッチとの接触部が接点間に発生するアークの熱で溶解すると、接点が接触しなくなることを特徴とする雌コネクタが提供される。
【００１０】
本発明のさらに別の一態様によれば、
電源と、前記電源から電力の供給を受ける電子機器とを電気的に接続するための雌コネクタと接続する雄コネクタであって、
前記雌コネクタは、前記電子機器に接続されており、前記電力供給を受けるための導体からなる２つの電力用ジャック端子と、１本の制御用プラグ端子を有し、前記制御用プラグ端子は、差込方向に伸縮可能であり、
前記雄コネクタは、前記電源に接続されており、前記２つの電力用ジャック端子の各々に対応する２本の電力用プラグ端子と、前記制御用プラグ端子に対応する制御用ジャック端子を有しており、
前記制御用ジャック端子には２つの制御スイッチが設けられており、各制御スイッチは板バネ部および接点により構成され、前記板バネ部を押すことにより接点が接触し電流が流れる構成のスイッチであり、
前記２つの制御スイッチは、前記２本の電力用プラグ端子の各々に接続されており、前記電源は前記２つの制御スイッチを介し前記電力用プラグ端子より電力を供給するものであり、
前記２本の電力用プラグ端子と前記２つの電力用ジャック端子を嵌合した状態において、前記制御用ジャック端子に前記制御用プラグ端子を差込方向に伸すことにより、絶縁体の板バネが撓み前記板バネ部を押し、接点が接続され、前記電子機器に電力が供給され、
前記板バネの前記各制御スイッチとの接触部が接点間に発生するアークの熱で溶解すると、接点が接触しなくなることを特徴とする雄コネクタが提供される。
【発明の効果】
【００１１】
本発明によれば、高電圧の電力を安全に供給することが可能なコネクタ装置、雌コネクタ、及び雄コネクタを提供することができる。
【図面の簡単な説明】
【００１２】
【図１】第１の実施の形態におけるコネクタ装置の構成図である。
【図２】第１の実施の形態における雌コネクタの外観の斜視図である。
【図３】第１の実施の形態における雄コネクタの構造図である。
【図４】第１の実施の形態における雄コネクタの内部構造図である。
【図５】第１の実施の形態におけるコネクタ装置の接続方法の説明図（１）である。
【図６】第１の実施の形態におけるコネクタ装置の接続方法の説明図（２）である。
【図７】第１の実施の形態におけるコネクタ装置の接続方法の説明図（３）である。
【図８】第１の実施の形態におけるコネクタ装置の接続方法の説明図（４）である。
【図９】第１の実施の形態におけるコネクタ装置の接続方法の説明図（５）である。
【図１０】第１の実施の形態におけるコネクタ装置の接続方法の説明図（６）である。
【図１１】第１の実施の形態における雄コネクタのスイッチ部分の構成概略図である。
【図１２】第１の実施の形態における雌コネクタの内部構造図である。
【図１３】第１の実施の形態におけるコネクタ装置を用いた電源供給システムの構成図である。
【図１４】第１の実施の形態におけるコネクタ装置を用いたＰＤＵの斜視図である。
【図１５】第２の実施の形態における雌コネクタの外観の斜視図である。
【図１６】第２の実施の形態における雌コネクタの制御用プラグ端子を伸縮する場合の説明図である。
【図１７】第２の実施の形態における雌コネクタの内部構造の斜視図である。
【図１８】第３の実施の形態におけるコネクタ装置の構成図である。
【図１９】第３の実施の形態における雄コネクタの内部構造図である。
【図２０】第４の実施の形態におけるコネクタ装置の構成図である。
【発明を実施するための形態】
【００１３】
〔第１の実施の形態〕
第１の実施の形態におけるコネクタ装置、雌コネクタ及び雄コネクタについて説明する。
【００１４】
（コネクタ装置、雌コネクタ及び雄コネクタの構成）
図１に、本実施の形態におけるコネクタ装置、雌コネクタ及び雄コネクタの構成の概要を示す。
【００１５】
本実施の形態におけるコネクタ装置は、雌コネクタ１０と雄コネクタ２０から構成されている。雌コネクタ１０は、サーバ等の情報機器４０に接続されており、電力の供給を受けるための２つの電力用ジャック端子１１、１２、制御用プラグ端子１３、アースのための接地用ジャック端子１４を有している。制御用プラグ端子１３は、雌コネクタ１０の差込方向に伸縮させることが可能な構成となっている。
【００１６】
一方、雄コネクタ２０は電力を供給するための高圧電源５０に接続されている。雄コネクタ２０には、電力用ジャック端子１１、１２に対応している電力用プラグ端子２１、２２、制御用プラグ端子１３に対応している制御用ジャック端子２３、接地用ジャック端子１４に対応している接地用プラグ端子２４を有している。
【００１７】
また、雄コネクタ２０には、２つの制御スイッチ３１、３２が設けられている。この制御スイッチ３１、３２は、板バネ状のスイッチ等により構成されており、これを押下することにより接点が接触し電流が流れる構成のスイッチである。尚、本実施の形態では、制御スイッチ３１、３２の直上に絶縁体の板バネ３３が設けられている。
【００１８】
制御スイッチ３１の一方の端子は、高圧電源５０の正の出力に接続されており、他方の端子は、電力用プラグ端子２１に接続されている。また、制御スイッチ３２の一方の端子は、高圧電源５０の負の出力に接続されており、他方の端子は、電力用プラグ端子２２に接続されている。
【００１９】
この２つの制御スイッチ３１、３２は、雌コネクタ１０と雄コネクタ２０とを嵌合させた状態において、雌コネクタ１０の制御用プラグ端子１３を差込方向に伸すことにより、絶縁体の板バネ３３を介し、２つの制御スイッチ３１、３２の接点が接続される構成のものである。
【００２０】
このように、制御スイッチ３１、３２の接点が接続されることにより、雄コネクタ２０における電力用プラグ端子２１、２２に電力が供給され、更には、雌コネクタ１０における電力用ジャック端子１１、１２を介し、サーバ等の情報機器４０に電力が供給される。
【００２１】
本実施の形態におけるコネクタ装置では、電力用プラグ端子２１、２２の各々に、制御スイッチ３１、３２が接続されているが、これは４８Ｖ超える電圧、更には２００Ｖ以上の電圧である高電圧の直流電力の場合では、接触により人体に与える危険が極めて高いため、電力用プラグ端子２１、２２の双方に制御スイッチ３１、３２を接続することにより、電力用プラグ端子２１、２２の双方からの電力供給を制御し、安全性をより一層高めている。
【００２２】
尚、本発明では、制御用ジャック端子２３とは、制御用プラグ端子１３の伸縮により力学的な力によりオン、オフが制御される制御スイッチ等を内部に含む構成のものも含まれる。
【００２３】
（コネクタ装置の構造）
次に、図２から図４に基づき、本実施の形態におけるコネクタ装置の具体的な構造について説明する。図２（ａ）は、本実施の形態における雌コネクタ１０において、制御用プラグ端子１３が縮んでいる状態の外観の斜視図であり、図２（ｂ）は、本実施の形態における雌コネクタ１０において、制御用プラグ端子１３が伸びている状態の外観の斜視図である。図３（ａ）は、本実施の形態における雄コネクタ２０の外観の斜視図であり、図３（ｂ）は、本実施の形態における雄コネクタ２０の内部構造の斜視図である。図４（ａ）は、本実施の形態における雄コネクタ２０の内部構造を正面から見た一部断面図であり、図４（ｂ）は、本実施の形態における雄コネクタ２０の内部構造を側面から見た一部断面図である。
【００２４】
図２（ａ）に示されるように、本実施の形態における雌コネクタ１０には、４００ＶＤＣの直流の電源ケーブル１５が接続されており、反対側には、金属により形成された電力用ジャック端子１１、１２、制御用プラグ端子１３、接地用ジャック端子１４が設けられている。
【００２５】
本実施の形態における雌コネクタ１０は、雄コネクタ２０に差し込まれた直後は、図２（ａ）に示す状態にあり、この後、スライドスイッチ１６を制御用プラグ端子１３の差込方向にスライドさせることにより、制御用プラグ端子１３が伸びるとともに、差込方向と垂直方向にロック端子１８が突出し、図３（ｂ）に示す状態となる。
【００２６】
一方、図３（ａ）に示すように、本実施の形態における雄コネクタ２０は、雌コネクタ１０の本体の一部が嵌入する構成のものである。雄コネクタ２０には、電力用ジャック端子１１、１２と接続される電力用プラグ端子２１、２２、接地用ジャック端子１４に接続される接地用プラグ端子２４、制御用プラグ端子１３が伸びた状態で接続される制御用ジャック端子２３、突出したロック端子１８に対応する形状の凹部２９が設けられている。
【００２７】
図３（ｂ）及び図４は、雄コネクタ２０の内部構造図である。雄コネクタ２０の制御用ジャック端子２３は、内部において２つの制御スイッチ３１、３２が設けられており、この２つの制御スイッチ３１、３２の上部に設けられた絶縁体の板バネ３３が上部より押されて撓み変形することにより、２つの制御スイッチ３１、３２の接点が接触し、電流が流れる構成となっている。この際流れる電流は、４００ＶＤＣであることから、雌コネクタ１０の制御用プラグ端子１３の先端が直接２つの制御スイッチ３１、３２を押下し、接点を接触させることは危険であるため、絶縁体の板バネ３３を介し２つの制御スイッチ３１、３２の接点を接触させる構成としている。尚、本実施の形態では、制御スイッチ３１、３２の接点近傍には、アーク防止用の永久磁石２５Ａ、２５Ｂが設けられている。
【００２８】
（コネクタ装置の接続方法）
次に、図５から図１０に基づき、本実施の形態における雌コネクタ１０と雄コネクタ２０の接続方法について説明する。図５から図７は、雌コネクタ１０と雄コネクタ２０の接続方法の説明図であり、正面から見た概略構成を示す。図８から図１０は、雌コネクタ１０と雄コネクタ２０の接続方法の説明図であり、側面から見た概略構成を示す。尚、図８から図１０において、図面を見やすくするため、電源用ジャック端子１１、１２及び接地用ジャック端子１４等を省略して図示してある。
【００２９】
最初に、図５及び図８に、雌コネクタ１０と雄コネクタ２０とが接続される前の状態を示す。この状態では、雌コネクタ１０の電力用ジャック端子１１と電力用プラグ端子２１とは接続されていない。同様に、図１に示される電力用ジャック端子１２と電力用プラグ端子２２も接続されておらず、接地用ジャック端子１４と接地用プラグ端子２４も接続されていない。また、制御用プラグ端子１３は、縮んだ状態となっており、制御用プラグ端子１３の伸縮させるためのスライドスイッチ１６が差込む方向（下方向）に移動される前の状態となっている。
【００３０】
一方、雄コネクタ２０は、制御スイッチ３１と電力用プラグ端子２１とが接続されている。具体的には、制御スイッチ３１は、板バネ部３５と接点３６、３７により構成されており、接点３６は電力用プラグ端子２１と接続されており、板バネ部３５は金属の板バネ状に形成されており、接点３７は板バネ部３５を介し電源５０と接続されている。同様に、制御スイッチ３２は電力用プラグ端子２２と接続されており、制御スイッチ３２は、電源５０と接続されている。また、制御スイッチ３１、３２の上部に設けられている絶縁体の板バネ３３は、絶縁体の板バネ３３の上部より力が加わることにより撓み変形し、その力が制御スイッチ３１、３２に伝達される構成となっている。板バネ３３は、差込方向と平行に突出する突出部３３１を有している。
【００３１】
次に、図６及び図９に、雌コネクタ１０が雄コネクタ２０に差し込まれた状態を示す。この状態では、雌コネクタ１０の電力用ジャック端子１１と電力用プラグ端子２１とは嵌合している。同様に、電力用ジャック端子１２と電力用プラグ端子２２も嵌合しており、接地用ジャック端子１４と接地用プラグ端子２４も嵌合している。
【００３２】
尚、この状態では、制御用プラグ端子１３は、縮んだ状態のままであり、制御用プラグ端子１３の伸縮させるための制御用プラグ端子１３の伸縮させるためのスライドスイッチ１６も差込む方向（下方向）に移動される前の状態のままである。よって、雄コネクタ２０の制御スイッチ３１の接点３６と接点３７は接続されていない。同様に、制御スイッチ３２の接点３８と接点３９も接続されていない。
【００３３】
次に、図７及び図１０に、雌コネクタ１０が雄コネクタ２０に差し込まれた状態において、制御用プラグ端子１３が伸びた状態を示す。
【００３４】
具体的には、スライドスイッチ１６を差込む方向（下方向）に移動させることにより、制御用プラグ端子１３が伸び、制御用プラグ端子１３の先端が絶縁体の板バネ３３の突出部３３１を押して板バネ３３を撓ませ変形させる。この絶縁体の板バネ３３の撓みによる変形により、制御スイッチ３１における板バネ部３５を撓ませ、制御スイッチ３１の接点３６と接点３７とが接続される。制御スイッチ３１の接点３６と接点３７が接続されることにより、図１に示す電源５０からの電力は、電力用プラグ端子２１に供給され、同様に、図１に示される電力用プラグ端子２２にも電力が供給される。これにより、電力用プラグ端子２１、２２と接続されている電力用ジャック端子１１、１２を介し、雌コネクタ１０に接続されている図１に示すサーバ等の電気機器４０に電源５０からの電力が供給される。
【００３５】
雌コネクタ１０を雄コネクタ２０から離脱させる際には、先ず、スライドスイッチ１６を引き抜く方向（上方向）に移動させる。そうすると、制御用プラグ端子１３が縮み、板バネ３３が弾性復元する。これにより、制御スイッチ３１における板バネ部３５が弾性復元し、制御スイッチ３１の接点３６と接点３７との接続が解除される。同様に、制御スイッチ３２の接点３８と接点３９との接続も解除される。
【００３６】
この瞬間、接点３６と接点３７の間、接点３８と接点３９の間にアーク（アーク電流）が発生することがある。アークが発生すると雌コネクタ１０に接続されている電気機器に過度な負荷がかかるため、その後、電気機器に電力を再供給するのは危険である。特に、４８Ｖ超える電圧、更には２００Ｖ以上の電圧である高電圧の直流電力の場合、危険である。
【００３７】
これに対し、本実施の形態の板バネ３３は、制御スイッチ３１との接触部３３２、３３３がアークの熱によって溶解するように構成されている。具体的には、板バネ３３は、ＰＢＴ（ポリブチレンテレフタレート）、ＰＣ（ポリカーボネイト）等の熱可塑性樹脂で成形されており、板バネ３３の接触部３３２、３３３は、溶解しやすくなるように板バネ３３の本体部３３４（図４参照）から突出している。
【００３８】
板バネ３３の接触部３３２、３３３が溶解すると、制御用プラグ端子１３が伸びた状態でも、接点３６と接点３７、及び接点３８と接点３９が接触しなくなる。これにより、アーク発生後の電力の再供給を防止することができる。
【００３９】
板バネ３３の融点は、接触部３３２、３３３の溶解しやすさの観点から、好ましくは２５０℃以下であり、より好ましくは１８０℃以下である。尚、板バネ３３の融点は、耐久性や信頼性の観点から、１５０℃以上であることが好ましい。
【００４０】
次に、図１１に基づき、制御スイッチ３１の接点３６、３７及び、制御スイッチ３２の接点３８、３９について説明する。図４に示したように、制御スイッチ３１の接点３６、３７の近傍には永久磁石２５Ａが設けられており、同様に、制御スイッチ３２の接点３８、３９の近傍には永久磁石２５Ｂが設けられている。
【００４１】
図１１（ａ）に示すように、制御スイッチ３１における直線矢印は、接点３６、３７が接続された場合に流れる電流の向きを示し、制御スイッチ３２における直線矢印は、接点３８、３９が接続された場合に流れる電流の向きを示す。この状態では、電源５０から供給される電流は、制御スイッチ３１及び制御スイッチ３２を流れて、サーバ等の情報機器４０に供給される。ここで、制御用プラグ端子１３を縮めると、制御スイッチ３１の接点３６、３７及び、制御スイッチ３２の接点３８、３９が離れて電流の流れがとまる。この瞬間に、接点３６と接点３７の間、及び接点３８と接点３９の間にアーク（アーク電流）が発生することがある。
【００４２】
これに対し、接点３６と接点３７の近傍に永久磁石２５Ａを設けることにより、図１１（ｂ）に示すように、永久磁石２５Ａにより、破線矢印に示すように磁束が発生し、フレミングの左手の法則に基づきローレンツ力が作用し、図１１（ａ）に示すようにアークは符号９１に示すように偏向されて、吹き飛ばされる。また、接点３８と接点３９の近傍に永久磁石２５Ｂを設けることにより、図１１（ｃ）に示すように、永久磁石２５Ｂにより、破線矢印に示すように磁束が発生し、フレミングの左手の法則に基づきローレンツ力が作用し、図１１（ａ）に示すようにアークは符号９２に示すように偏向されて、吹き飛ばされる。これにより、速やかに電力の供給が遮断される。此により、より高い安全性を得ることができる。以上は、永久磁石２５Ａ、２５Ｂの二つの永久磁石を用いる場合について説明したが、図１１（ｄ）に示すように、永久磁石２５Ａ、２５Ｂの二つの永久磁石を一つにした永久磁石２５を用いても良い。
【００４３】
次に、図１２に基づき、ロック端子１８の機能について説明する。図１２（ａ）は、本実施の形態における雌コネクタ１０において、制御用プラグ端子１３が縮んでいる状態の内部構造の斜視図であり、図１２（ｂ）は、雌コネクタ１０において、制御用プラグ端子１３が伸びている状態の内部構造の斜視図である。
【００４４】
本実施の形態における雌コネクタ１０は、雄コネクタ２０に差し込まれた直後は、図１２（ａ）に示す状態にあり、この後、スライドスイッチ１６を制御用プラグ端子１３の差込方向にスライドさせることにより、制御用プラグ端子１３が伸びるとともに、スライドスイッチ１６の傾斜部１７がロック端子１８を押し、差込方向と垂直方向にロック端子１８が突出し、図１２（ｂ）に示す状態となる。
【００４５】
雄コネクタ２０には、突出したロック端子１８に対応した凹部２９（図３参照）が形成されており、ロック端子１８が突出している状態では、凹部２９により、雌コネクタ１０と雄コネクタ２０との接合が外れることはない。これにより、意図しない抜き止めを行うことができ、安全性を高めることができる。
【００４６】
尚、本実施の形態においては、スライドスイッチ１６を用いて差込方向に制御用プラグ端子１３を伸縮させるとともにロック端子１８の突出させるものであるが、スライドスイッチ１６に代えて、差込方向と垂直に移動可能な押ボタン等を用いて、差込方向に制御用プラグ端子１３を伸縮させるとともにロック端子１８の突出を行う構成であっても良い。
【００４７】
以上より、本実施の形態におけるコネクタ装置は、雌コネクタ１０の電力用ジャック端子１１、１２が、雄コネクタ２０の電力用プラグ端子２１、２２に嵌合された状態において、制御用プラグ端子１３を伸すことにより、制御用ジャック端子２３に設けられた制御スイッチ３１、３２を介して電流が流れ、電力用プラグ端子２１、２２及び、雌コネクタ１０のジャック端子１１、１２を介し、情報機器４０に電力が供給されるものである。
【００４８】
このように、制御用プラグ端子１３が伸びた状態においてのみ、電力用プラグ端子２１、２２より電力が供給されるように構成されているのは、雄コネクタ２０に雌コネクタ１０が接続されていない状態において、電力用プラグ端子２１、２２に４００ＶＤＣの高電圧が印加されることを防止するためである。即ち、雄コネクタ２０に雌コネクタ１０が接合されていない状態において、雄コネクタ２０の電力用プラグ端子２１、２２に４００ＶＤＣの高電圧が印加されていると、電力用プラグ端子２１、２２に人が不注意に接触した場合や、電力用プラグ端子２１、２２よりドライバ、金属片又は切れかけ導線等を介し人が接触した場合において、人体に危険が及ぶ場合があり、このような事態を防ぐためである。
【００４９】
（電力供給システム）
次に、本実施の形態におけるコネクタ装置を用いた電力供給システムの構成を説明する。
【００５０】
図１３は、本実施の形態におけるコネクタ装置を用いた電力供給システムの構成を示すものである。
【００５１】
この電力供給システムは、商用電源７０より供給されるＡＣ１００Ｖ又はＡＣ２００Ｖの電力を高圧電源５０に入力し、高圧電源５０におけるＡＣ／ＤＣ変換器５１により、ＡＣ１００Ｖ又はＡＣ２００ＶをＤＣ４００Ｖに変換する。直流電力は、バッテリー等により蓄電することが可能であるため、バックアップ用にバッテリー５２を設けることにより、停電等の場合においても容易に対応することが可能である。高圧電源５０には電源ケーブルを介し、本実施の形態における雄コネクタ２０が接続されており、高圧電源５０からの４００ＶＤＣの電力は、雄コネクタ２０より供給される。
【００５２】
一方、本実施の形態における雌コネクタ１０は、サーバ等の情報機器４０と電源ケーブル１５を介し接続されており、雄コネクタ２０と雌コネクタ１０とを電気的に接続することにより、高圧電源５０からの電力が、サーバ等の情報機器４０に供給される。
【００５３】
また、サーバ等の情報機器４０内には、４００ＶＤＣをＣＰＵ４２等の電子部品の動作が可能な低電圧のＤＣ出力に変換するＤＣ／ＤＣ変換器４１が設けられている。
【００５４】
このような、電力供給システムでは、商用電源７０からのＡＣからＤＣへの変換が一回で済むため電力損失が少ないこと、高電圧な直流である４００ＶＤＣでは、導線等の太さを気にする必要があまりないこと、直流であることからバッテリー５２に蓄えることが可能であり、商用電源７０の供給が停電等により停止した場合においても、対応しやすいこと等の利点を有している。
【００５５】
次に、図１４に基づき、本実施の形態におけるコネクタ装置を用いたＰＤＵ（パワー・ディストリビューション・ユニット）について説明する。
【００５６】
図１３に示される高圧電源５０より供給される４００ＶＤＣは、一旦、分電盤７０に入力し、各々のＰＤＵ（パワー・ディストリビューション・ユニット）３０に電力が分配される。各々のＰＤＵ３０には、本実施の形態における雄コネクタ２０が複数設けられており、各々の雄コネクタ２０を介し４００ＶＤＣの電力を供給することが可能である。一方、サーバラック４５には、複数のサーバ等の情報機器４０が収納されており、各々のサーバ等の情報機器４０には、電源供給を受けるための雌コネクタ１０が電源ケーブル１５を介し接続されている。雌コネクタ１０は、ＰＤＵ３０に設けられた雄コネクタ２０と電気的に接続することにより、４００ＶＤＣの電力が供給されるように構成されている。
【００５７】
尚、上記説明においては、４００ＶＤＣの場合について詳しく説明したが、本発明の実施の形態として記載されているコネクタ装置、雌コネクタ及び雄コネクタは直流（ＤＣ）であれば、用いることが可能である。特に、直流の場合はＡＣと異なり、人体に安全な周波数というのも存在しないからである。
【００５８】
また、人体における影響の観点から直流電圧としては、通常は４８Ｖ以下の電圧が用いられている。これは、通常４８Ｖ以下であれば、感電により人体に与える影響が殆どないためであり、このことから、４８Ｖを超える電圧の場合、人体に与える影響は大きく、特に、２００Ｖ以上の電圧は危険である。
【００５９】
本発明の実施の形態におけるコネクタ装置、雌コネクタ及び雄コネクタは、安全性を高めた構成であることから、４８Ｖを超える電圧、更には、２００Ｖ以上の電圧に特に顕著な効果を発揮するものである。即ち、本実施の形態におけるコネクタ装置、雌コネクタ及び雄コネクタは、従来とは異なる構成により安全性を高めているため、４８Ｖを超える電圧、更には、２００Ｖ以上の電圧についても安全性が高められているため、特に、顕著な効果を発揮するものである。
【００６０】
〔第２の実施の形態〕
第２の実施の形態は、本発明に係る雌コネクタに関するものである。具体的には、制御用プラグ端子の伸縮をねじりコイルバネの復元力により行う構成のものである。
【００６１】
図１５に、本実施の形態の雌コネクタの構成を示す。図１５（ａ）は、制御用プラグ端子１１３が縮んでいる状態の雌コネクタ１１０の斜視図であり、図１５（ｂ）は、制御用プラグ端子１１３が伸びている状態の雌コネクタ１１０の斜視図である。
【００６２】
本実施の形態における雌コネクタ１１０は、電力の供給を受けるための２本の電力用ジャック端子１１１、１１２、制御用プラグ端子１１３、アースのための接地用ジャック端子１１４、スライドスイッチ１１６、ロック端子１０８を有している。
【００６３】
図１５（ａ）に示す状態から、図１５（ｂ）に示す状態に、スライドスイッチ１１６を制御用プラグ端子１１３の差込方向にスライドさせることにより、制御用プラグ端子１１３が伸びると共に、ロック端子１０８が突出する構成のものである。
【００６４】
次に、図１６、図１７に基づき本実施の形態に係る雌コネクタ１１０において、制御用プラグ端子１１３を伸す場合について説明する。尚、制御用プラグ端子１１３を伸すことにより、不図示の雄コネクタにおける制御用プラグ端子に設けられた制御スイッチの接点が開いた状態から閉じた状態となる。
【００６５】
図１６（ａ）は、制御用プラグ端子１１３が縮んでいる状態における内部構造図であり、図１６（ｂ）は、制御用プラグ端子１１３が縮んでいる状態における内部斜視図である。図１６（ｃ）は、制御用プラグ端子１１３が縮んでいる状態から伸びた状態に移行する際の中立状態における内部構造図であり、図１６（ｄ）は、制御用プラグ端子１１３が縮んでいる状態から伸びた状態に移行する際の中立状態における内部斜視図である。図１６（ｅ）は、制御用プラグ端子１１３が伸びている状態における内部構造図であり、図１６（ｆ）は、制御用プラグ端子１１３が伸びている状態における内部斜視図である。また、図１７は、図１６（ｆ）の部分的拡大図である。
【００６６】
図１６（ａ）、（ｂ）に示すように、スライドスイッチ１１６は、雌コネクタ１１０の内部においてＵ字部１１７が設けられており、制御用プラグ端子リンク１１８を介し、制御用プラグ端子１１３が伸びる構成のものである。また、雌コネクタ１１０の内部には、ねじりコイルバネ（トーションスプリング）１１９が設けられており、このねじりコイルバネ１１９は、一端が回転可能な状態で雌コネクタ１１０の筐体に対して固定されており、他端が制御用プラグ端子リンク１１８のカム軸１２１と回転可能な状態で接続されている。このカム軸１２１は、カム溝１２２内を移動可能な構成となっている。
【００６７】
また、制御用プラグ端子リンク１１８には、スライド軸１２３が設けられており、スライド溝１２４内を移動可能な構成となっている。また、制御用プラグ端子リンク１１８の先端部１２５は、制御用プラグ端子１１３に設けられた緩衝溝１２６内に挿入しており、移動可能な状態となっている。
【００６８】
制御用プラグ端子１１３が縮んでいる状態では、図面上、スライドスイッチ１１６は左側に位置しており、制御用プラグ端子リンク１１８も左側に位置している。カム軸１２１は、カム溝１２２内の最も左側に位置しており、Ｕ字部１１７の左側の内部壁面において接している。また、制御用プラグ端子リンク１１８のスライド軸１２３は、スライド溝１２４内の左側に位置しており、先端部１２５は、緩衝溝１２６の左端と接している。この際、ねじりコイルバネ１１９は自然状態よりも若干閉脚した（撓んだ）状態にある。
【００６９】
この後、スライドスイッチ１１６を差込方向に対し差込む方向（右方向）に移動させることにより、図１６（ｃ）、（ｄ）に示す中立状態となる。この中立状態では、スライドスイッチ１１６の移動方向と、ねじりコイルバネ１１９の両端を結ぶ方向とが垂直となっている。
【００７０】
この状態では、図面上、スライドスイッチ１１６はほぼ中央部に位置し、制御用プラグ端子リンク１１８は、Ｕ字部１１７の左側の内部壁面により、カム軸１２１が右側に押され、カム溝１２２内を右側に移動しほぼ中央部に移動する。この際、制御用プラグ端子リンク１１８の先端部１２５も右側に移動するが、緩衝溝１２６内での移動であるため、制御用プラグ端子１１３は、縮んだ状態のままである。この状態では、ねじりコイルバネ１１９は、図１６（ａ）、（ｂ）に示す状態よりも更に閉脚した（撓んだ）状態となっており、ねじりコイルバネ１１９の復元力が強くなっている。
【００７１】
この後、スライドスイッチ１１６を差込方向に対し差込む方向（右方向）に更に移動させることにより、ねじりコイルバネ１１９の復元力により図１６（ｅ）、（ｆ）に示す状態となる。
【００７２】
即ち、ねじりコイルバネ１１９が開脚する復元力により、図面上、カム溝１２２内をカム軸１２１が右方向に移動し、これにより、制御用プラグ端子リンク１１８の先端部１２５を介し、緩衝溝１２６の右端が押され、制御用プラグ端子１１３が差込方向に伸びるのである。
【００７３】
この状態では、図面上、スライドスイッチ１１６は右側に移動しており、制御用プラグ端子リンク１１８も右側に移動している。また、カム軸１２１は、カム溝１２２内の最も右側に移動しており、Ｕ字部１１７の右側の内部壁面において接している。また、制御用プラグ端子リンク１１８のスライド軸１２３は、スライド溝１２４内の右側に移動し、先端部１２５は、緩衝溝１２６の右端と接している。この際、ねじりコイルバネ１１９は、中立状態よりも開脚した状態となっている。
【００７４】
このようにして、制御用プラグ端子１１３を差込方向に伸すことができる。これは、中立状態からのねじりコイルバネ１１９の復元力、即ち、ねじりコイルバネ１１９の開脚する力により、制御用プラグ端子１１３が差込方向に伸すものであるため、短時間に行われる。
【００７５】
次に、図１６、図１７に基づき本実施の形態に係る雌コネクタ１１０において、制御用プラグ端子１１３を縮ませる場合について説明する。尚、制御用プラグ端子１１３が縮んだ状態では、不図示の雄コネクタにおける制御用プラグ端子に設けられた制御スイッチの接点が閉じた状態から開いた状態となる。
【００７６】
図１６（ｅ）、（ｆ）に示すように、制御用プラグ端子１１３が伸びている状態では、図面上、スライドスイッチ１１６は右側に位置しており、制御用プラグ端子リンク１１８も右側に位置している。カム軸１２１は、カム溝１２２内の最も右側に位置しており、Ｕ字部１１７の右側の内部壁面において接している。また、制御用プラグ端子リンク１１８のスライド軸１２３は、スライド溝１２４内の右側に位置しており、先端部１２５は、緩衝溝１２６の右端に接している。この際、ねじりコイルバネ１１９は自然状態よりも若干閉脚した（撓んだ）状態にある。
【００７７】
この後、スライドスイッチ１１６を引抜く方向（左方向）に移動させることにより、図１６（ｃ）、（ｄ）に示す中立状態となる。この中立状態では、スライドスイッチ１１６の移動方向と、ねじりコイルバネ１１９の両端を結ぶ方向とが垂直となっている。
【００７８】
この状態では、図面上、スライドスイッチ１１６はほぼ中央部に位置し、制御用プラグ端子リンク１１８は、Ｕ字部１１７の右側の内部壁面により、カム軸１２１が左側に押され、カム溝１２２内で左側に移動しほぼ中央部に移動する。この際、先端部１２５も左側に移動するが、緩衝溝１２６内での移動であるため、制御用プラグ端子１１３は、伸びた状態のままである。この状態では、ねじりコイルバネ１１９は、図１６（ｅ）、（ｆ）に示す状態よりも更に閉脚した（撓んだ）状態となっており、ねじりコイルバネ１１９の復元力が強くなっている。
【００７９】
この後、スライドスイッチ１１６を引抜く方向（左方向）に更に移動させることにより、ねじりコイルバネ１１９の復元力により図１６（ａ）、（ｂ）に示す状態となる。
【００８０】
即ち、ねじりコイルバネ１１９が開脚する復元力により、図面上、カム溝１２２内をカム軸１２１が左方向に移動し、これにより、制御用プラグ端子リンク１１８の先端部１２５を介し、緩衝溝１２６の左端が押され、制御用プラグ端子１１３が差込方向に対し縮むのである。
【００８１】
この状態では、図面上、スライドスイッチ１１６は左側に移動しており、制御用プラグ端子リンク１１８も左側に移動している。また、カム軸１２１は、カム溝１２２内の最も左側に移動しており、Ｕ字部１１７の左側の内部壁面において接している。また、制御用プラグ端子リンク１１８のスライド軸１２３は、スライド溝１２４内の左側に移動し、先端部１２５は、緩衝溝１２６の左端と接している。この際、ねじりコイルバネ１１９は、中立状態よりも開脚した状態となっている。
【００８２】
このようにして、制御用プラグ端子１１３を差込方向に対し縮ませることができる。これは、中立状態からのねじりコイルバネ１１９の復元力、即ち、ねじりコイルバネ１１９の開脚する力により、制御用プラグ端子１１３が差込方向に対し縮ませるものであるため、短時間に行われる。
【００８３】
ところで、このようなねじりコイルバネ１１９を有しない構成の場合、人の指の力のみで、制御用プラグ端子１１３を差込方向に伸したり縮めたりするが、人によって伸す速度や縮める速度が異なり、遅くなる場合がある。
【００８４】
このような場合、制御用プラグ端子１１３の伸びる速度や縮める速度が遅いことに起因し、この制御用プラグ端子１１３により接続される不図示の雄コネクタの接点において、アークが発生したりチャタリングが発生したりする。このようなアークの発生やチャタリングの発生は、雄コネクタの接点を破損させたり、雌コネクタ１１０に接続されている機器を破損させたりするおそれがある。
【００８５】
本実施の形態における雌コネクタ１１０においては、短時間に制御用プラグ端子１１３を伸したり、縮めたりすることができるため、このようなアークの発生やチャタリングの発生を防ぐことができ、雄コネクタの接点の破損や、雌コネクタ１１０に接続されている機器の破壊を防止することが可能となる。
【００８６】
尚、制御用プラグ端子１１３の平均移動速度は、不図示の雄コネクタにおける制御スイッチの種類や構成に応じて適宜設定されるが、３ｍｍ／秒以上が好ましい。
【００８７】
尚、本実施の形態では、ねじりコイルバネ１１９が閉脚している（撓んでいる）状態から開脚する方向に働く復元力を利用して、制御用プラグ端子１１３を伸縮させるものについて説明したが、カム溝１２２の構造等を変えることにより、ねじりコイルバネ１１９が開脚している（撓んでいる）状態から閉脚する復元力を利用して、同様に制御用プラグ端子１１３の伸縮を行うことも可能である。また、本実施の形態では、ねじりコイルバネ１１９を用いたが、同様の作用が得られる弾性体であれば、どのような構成のものでもよい。
【００８８】
尚、本実施の形態における雌コネクタは、第１の実施の形態に記載されている雌コネクタに代えて用いることができるものであり、第１の実施の形態に記載されている雌コネクタと組み合わせることにより、コネクタ装置として使用することができるものである。
【００８９】
〔第３の実施の形態〕
次に、第３の実施の形態におけるコネクタ装置、雌コネクタ及び雄コネクタについて説明する。図１８に、本実施の形態におけるコネクタ装置、雌コネクタ及び雄コネクタの構成の概要を示す。尚、図１８において、図１から図１４と同一構成については同一符号を付して説明を省略する。
【００９０】
本実施の形態におけるコネクタ装置は、雌コネクタ１０と雄コネクタ２２０から構成されている。雄コネクタ２２０は電力を供給するための高圧電源５０に接続されている。雄コネクタ２２０には、電力用ジャック端子１１、１２に対応している電力用プラグ端子２１、２２、制御用プラグ端子１３に対応している制御用ジャック端子２３、接地用ジャック端子１４に対応している接地用プラグ端子２４を有している。
【００９１】
また、雄コネクタ２２０には、一つのコイル２２２と２つのリレー接点２２３、２２４からなるリレー２２１が設けられており、コイル２２２に電流を流すことにより、リレー接点２２３、２２４が閉じて各々が接続される。このリレー接点２２３、２２４は、コイル２２２に電流が流れていない状態では、ともに開いた状態となり接続されることはない。
【００９２】
リレー接点２２３の一方は、高圧電源５０の正の出力に接続されており、他方は、電力用プラグ端子２１に接続されている。また、リレー接点２２４の一方は、高圧電源５０の負の出力に接続されており、他方は、電力用プラグ端子２２に接続されている。
【００９３】
雄コネクタ２２０はリレー２２１を駆動するためのリレー電源６０が接続されている。即ち、リレー２２１のコイル２２２の一方の端子とリレー電源６０の一方の端子が接続されており、コイル２２２の他方の端子とリレー電源６０の他方の端子は、それぞれ制御スイッチ２２７に接続されている。
【００９４】
この制御スイッチ２２７は、雌コネクタ１０と雄コネクタ２２０とを嵌合させた状態で、雌コネクタ１０の制御用プラグ端子１３を差込方向に伸すことにより、電気的に接続されるものである。
【００９５】
このように、制御スイッチ２２７が電気的に接続されることにより、リレー２２１におけるコイル２２２にリレー電源６０からの電流が流れ、リレー接点２２３、２２４がそれぞれ閉じ、雄コネクタ２２０における電力用プラグ端子２１、２２に電力が供給され、更には、雌コネクタ１０における電力用ジャック端子１１、１２を介し、サーバ等の情報機器４０に電力が供給される。
【００９６】
本実施の形態におけるコネクタ装置においては、電力用プラグ端子２１、２２の各々に、リレー２２１のリレー接点２２３、２２４が接続されているが、これは４８Ｖ超える電圧、更には２００Ｖ以上の電圧である高電圧の直流電力の場合では、接触により人体に与える危険が極めて高いため、電力用プラグ端子２１、２２の双方にリレー接点２２３、２２４を接続することにより、電力用プラグ端子２１、２２の双方への電力の供給を制御することにより、安全性をより一層高めている。
【００９７】
尚、本実施の形態では、リレー２２１は雄コネクタ２２０の本体の内部に設けた構成であるが、外部に設けた構成とすることも可能である。
【００９８】
図１９に、本実施の形態における雄コネクタの内部構造を示す。尚、図１９において、図１から図１４と同一構成については同一符号を付して説明を省略する。
【００９９】
本実施の形態における雄コネクタ２２０には、電力用プラグ端子２１、２２、接地用プラグ端子２４が設けられている。制御用プラグ端子１３に対応する制御用ジャック端子２３となる部分には、絶縁体の板バネ３３を介して、制御スイッチ２２７として板バネ状のスイッチが設けられている。この制御スイッチ２２７は、接点３６と接点３７とが接続される構成のスイッチと、接点３８と接点３９とが接続される構成のスイッチとの２つのスイッチにより構成されている。また、アーク防止のため、接点３６、３７の近傍には永久磁石２５Ａが、接点３８、３９の近傍には永久磁石２５Ｂが設けられている。接点３７と接点３９とは電気的に接続されており、接点３６は、図１８に示すリレー電源６０に接続されており、接点３８は、図１８に示すリレー２２１のコイル２２２と接続されている。
【０１００】
絶縁体の板バネ３３は、雌コネクタ１０の制御用プラグ端子１３が伸びた状態では、撓むことにより板バネ状のスイッチの接点３６と接点３７とが接続され、同時に板バネ状のスイッチの接点３８と接点３９とが接続される。これにより、接点３６と接点３８とは電気的に接続され、リレー電源６０から電力が供給され、リレー２２１のコイル２２２に電流が流れ、リレー接点２２３、２２４が接続され、電力用プラグ端子２１及び２２を介し、高圧電源５０から電力が供給される。
【０１０１】
尚、制御スイッチ２２７は、それ単体でスイッチとして構成されるものではなくてもよい。即ち、制御用プラグ端子１３を差込方向に伸すことにより、コイル２２２の他方の端子とリレー電源６０の他方の端子とが接続される構成のものであればよい。具体的には、コイル２２２の他方の端子に接続された電極と、リレー電源６０の他方の端子に接続された電極を設け、導体により制御用プラグ端子１３を形成し、この制御用プラグ端子１３を差込方向に伸すことにより、制御用プラグ端子１３が制御スイッチ２２７の両電極に接触し、制御用プラグ端子１３を介し、コイル２２２の他方の端子とリレー電源６０の他方の端子とが電気的に接続されるような構成であっても良い。この場合、絶縁体の板バネ３３が不要となる。
【０１０２】
尚、本実施の形態におけるコネクタ装置は、第１の実施の形態に記載されている電力供給システムに使用することが可能である。
【０１０３】
〔第４の実施の形態〕
次に、第４の実施の形態におけるコネクタ装置、雌コネクタ及び雄コネクタについて説明する。図２０に、本実施の形態におけるコネクタ装置、雌コネクタ及び雄コネクタの構成の概要を示す。尚、図２０において、図１から図１４と同一構成については同一符号を付して説明を省略する。また、雄コネクタ３２０の内部構造は、図１９と略同一構造であるので、図示を省略する。
【０１０４】
本実施の形態におけるコネクタ装置は、雌コネクタ１０と雄コネクタ３２０から構成されている。雄コネクタ３２０は電力を供給するための高圧電源５０に接続されている。雄コネクタ３２０には、電力用ジャック端子１１、１２に対応している電力用プラグ端子２１、２２、制御用プラグ端子１３に対応している制御用ジャック端子２３、接地用ジャック端子１４に対応している接地用プラグ端子２４を有している。
【０１０５】
また、雄コネクタ３２０には、２つのリレー３２１、３２２が設けられており、リレー３２１は、コイル３２３と、このコイル３２３に電流を流すことにより閉じて接続されるリレー接点３２４が設けられている。このリレー接点３２４は、コイル３２３に電流が流れていない状態では、開いた状態となり接続されることはない。また、リレー３２２には、コイル３２５と、このコイル３２５に電流を流すことにより閉じて接続されるリレー接点３２６が設けられている。このリレー接点３２６は、コイル３２５に電流が流れていない状態では、開いた状態となり接続されることはない。
【０１０６】
リレー接点３２４の一方は、高圧電源５０の正の出力に接続されており、他方は、電力用プラグ端子２１に接続されている。また、リレー接点３２６の一方は、高圧電源５０の負の出力に接続されており、他方は、電力用プラグ端子２２に接続されている。
【０１０７】
雄コネクタ３２０はリレー３２１、３２２を駆動するためのリレー電源６０に接続されている。具体的には、リレー３２１におけるコイル３２３の一方の端子と、リレー３２２におけるコイル３２５の一方の端子とが接続されており、リレー３２１におけるコイル３２３とリレー３２２におけるコイル３２５とは直列に接続された構成となっている。また、コイル３２３の他方の端子とリレー電源６０の一方の端子が接続されており、コイル３２５の他方の端子とリレー電源６０の他方の端子とは、それぞれ制御スイッチ２２７に接続されている。
【０１０８】
この制御スイッチ２２７は、雌コネクタ１０と雄コネクタ３２０とを嵌合させた状態において、雌コネクタ１０の制御用プラグ端子１３を差込方向に伸すことにより、接点が接続されるものである。
【０１０９】
このように、制御スイッチ２２７の接点が接続されることにより、リレー３２１、３２２におけるコイル３２３、３２５にリレー電源６０からの電流が流れ、リレー接点３２４、３２６がそれぞれ閉じ、雄コネクタ３２０における電力用プラグ端子２１、２２に電力が供給され、更には、雌コネクタにおける電力用ジャック端子１１、１２を介し、サーバ等の情報機器４０に電力が供給される。
【０１１０】
本実施の形態におけるコネクタ装置では、電力用プラグ端子２１、２２の各々に、リレー３２１、３２２のリレー接点３２４、３２６が接続されているが、これは４８Ｖ超える電圧、更には２００Ｖ以上の電圧である高電圧の直流電力の場合では、接触により人体に与える危険が高いため、電力用プラグ端子２１、２２の双方にリレー接点３２４、３２６を接続することにより、電力用プラグ端子２１、２２の双方からの電力供給を制御し、安全性をより一層高めている。
【０１１１】
尚、本実施の形態では、リレー３２１、３２２は雄コネクタ３２０の本体の内部に設けた構成であるが、外部に設けた構成とすることも可能である。
【０１１２】
尚、本実施の形態におけるコネクタ装置は、第１の実施の形態に記載されている電力供給システムに使用することが可能である。
【０１１３】
以上、本発明の実施の形態について説明したが、本発明は、上述した実施形態に制限されることはなく、本発明の範囲を逸脱することなく、上述した実施形態に種々の変形及び変更を加えることができる。
【符号の説明】
【０１１４】
１０    雌コネクタ
１１    電力用ジャック端子（＋）
１２    電力用ジャック端子（−）
１３    制御用プラグ端子
１４    接地用ジャック端子
１５    電源ケーブル
２０    雄コネクタ
２１    電力用プラグ端子（＋）
２２    電力用プラグ端子（−）
２３    制御用ジャック端子
２４    接地用プラグ端子
２５、２５Ａ、２５Ｂ    永久磁石
３１    制御スイッチ
３２    制御スイッチ
３３    絶縁体の板バネ
４０    サーバ等の情報機器
５０    高圧電源
【図１】
0005479036.tif 000002
【図３】
0005479036.tif 000003
【図８】
0005479036.tif 000004
【図９】
0005479036.tif 000005
【図１０】
0005479036.tif 000006
【図１１】
0005479036.tif 000007
【図１３】
0005479036.tif 000008
【図１５】
0005479036.tif 000009
【図１８】
0005479036.tif 000010
【図２０】
0005479036.tif 000011
【図２】
0005479036.tif 000012
【図４】
0005479036.tif 000013
【図５】
0005479036.tif 000014
【図６】
0005479036.tif 000015
【図７】
0005479036.tif 000016
【図１２】
0005479036.tif 000017
【図１４】
0005479036.tif 000018
【図１６】
0005479036.tif 000019
【図１７】
0005479036.tif 000020
【図１９】
0005479036.tif 000021